(57)【特許請求の範囲】
【請求項１】
第１の原稿群に基づく第１のジョブに対する画像形成動作と、第１とは異なる第２の原稿群に基づく第２のジョブに対する画像読取動作とを同時に行なえる画像形成装置において、
前記第１のジョブに対する画像形成動作が停止しても、前記第２のジョブに対する画像読取動作は継続させ、前記第２のジョブに対するすべての原稿の画像読取動作が終了すると、前記第１および第２とは異なる第３のジョブに対する画像読取動作の開始を禁止する制御手段を備えたことを特徴とする画像形成装置。
【請求項２】
前記第１のジョブに対する画像形成動作の停止中に、第２のジョブに対して設定されている画像形成条件を変更可能にした変更手段を備えたことを特徴とする請求項１に記載の画像形成装置。
【請求項３】
前記第１のジョブの動作状態と前記第２のジョブの動作状態とを併せて表示する表示手段をさらに備えたことを特徴とする請求項１または請求項２に記載の画像形成装置。
【発明の詳細な説明】
【０００１】
【発明の属する技術分野】
本発明は、画像形成装置に関し、特に、マルチジョブ機能を有する画像形成装置に関する。
【０００２】
【従来の技術】
従来のマルチジョブ機能を有する画像形成装置の分野では、ジョブの制御に特徴のあるものとして、たとえば、特開平５−７５７７２号公報に開示された画像形成装置が知られている。特開平５−７５７７２号公報に開示された画像形成装置は、あるジョブのプリント動作を実行中でも、別のジョブを読み込んで予約することが可能である。
【０００３】
また、プリント停止時、即座に、読み込み動作を停止する画像形成装置が製品化されている。
【０００４】
【発明が解決しようとする課題】
しかしながら、特開平５−７５７７２号公報に開示された画像形成装置は、プリントを停止した際でも次々と別のジョブの予約を受け付け画像を読み込んでいく。このため、画像がプリントされることによってメモリ内の画像データが消去されることなしに、次々とメモリ内に画像データが蓄積される。これは、メモリオーバフローを発生させる原因となる。メモリオーバフローが発生すると、蓄積された画像データまたは読み込み中の画像データは消去される。そのため、原稿を再度セットして、原稿の画像を再度読み込ませなくてはならない。
【０００５】
また、上述した従来製品化されている製品のようにプリントの停止と同時に読み込み動作を停止させることは、読み込み動作とプリントとを独立して行なう画像形成装置には、画像メモリがオーバフローしない限り必要のない制御である。このように読み込み動作を停止させることは、不要な復帰作業を伴う。
【０００６】
本発明の目的は、プリント停止中に画像メモリへの過剰な画像データによるオーバフローを防止し、原稿の読み込み動作を円滑に行なう画像形成装置を提供することである。
【０００７】
【課題を解決するための手段】
請求項１に記載の画像形成装置は、第１の原稿群に基づく第１のジョブに対する画像形成動作と、第１とは異なる第２の原稿群に基づく第２のジョブに対する画像読取動作とを同時に行なえる画像形成装置である。
【０００８】
本画像形成装置は、第１のジョブに対する画像形成動作が停止しても、第２のジョブに対する画像読取動作を継続させ、第２のジョブに対するすべての原稿の画像読取動作が終了すると、第１および第２とは異なる第３のジョブに対する画像読取動作の開始を禁止する制御手段を備えたことを特徴としている。
【０００９】
請求項１に記載の発明によると、第１のジョブに対する画像形成動作が停止した際、画像読取動作中の第２のジョブがあればその第２のジョブの画像読取動作が終了するまで画像読取動作が継続され、画像読取動作が終了した時点で新たな第３のジョブに対する画像読取動作は禁止される。これにより、プリント停止中に、画像メモリへの過剰な画像データによるオーバフローを防止し、かつ、原稿の読み込み動作を円滑に行なうことが可能となる。
【００１０】
請求項２に記載の画像形成装置は、請求項１に記載の画像形成装置であって、第１のジョブに対する画像形成動作の停止中に、第２のジョブに対して設定されている画像形成条件を変更可能にした変更手段を備えたことを特徴としている。
【００１１】
請求項２に記載の発明によると、第１のジョブに対する画像形成動作が停止した際、画像形成動作を待つ第２のジョブの画像形成条件を変更することができる。これにより、プリント停止中に原稿の読み込み動作を円滑に行なうことが可能となる。
請求項３に記載の画像形成装置は、請求項１または請求項２に記載の画像形成装置であって、第１のジョブの動作状態と第２のジョブの動作状態とを併せて表示する表示手段をさらに備えたことを特徴としている。
請求項３に記載の発明によると、ユーザが、第１のジョブの動作状態と第２のジョブの動作状態とを併せて認識できるため、画像形成装置の利便性を向上できる。
【００１２】
【発明の実施の形態】
以下、図面を参照しつつ、本発明の実施の形態であるマルチジョブ機能を有する複写機について説明する。
【００１３】
本発明の第１の実施の形態を説明する。
図１は、本発明の第１の実施の形態である、複写機１の概略構成を示す模式的断面図である。
【００１４】
複写機１は、大きくは、原稿の画像を読み取って画像データを生成する読み取り装置ＩＲと、読み取り装置ＩＲで得られた画像データを一時記憶する画像記憶部３０と、画像記憶部３０に格納された画像データに基づいて複写用紙に印字を行なうプリンタ装置ＰＲＴと、操作を入力するための操作パネル２００（複写機１上面に紙面に垂直方向に設置）と、原稿を搬送し必要に応じて原稿の表裏を反転させる原稿搬送部５００と、必要に応じて一度複写の終わった複写用紙の表裏を反転させ複写用紙をプリンタ装置ＰＲＴに再給紙する再給紙部６００とから構成される。また、これらの動作は、図示しない制御部によってコントロールされる。制御部は、複写機１を動作させるプログラムを格納するＲＯＭと、プログラムを実行するＣＰＵと、プログラムの実行に必要な情報を記憶するＲＡＭなどとから構成される。
【００１５】
原稿搬送部５００では、原稿給紙トレイ５０１にセットされた原稿は自動的に原稿ガラス１５にセットされ、読み取り装置ＩＲでの読み取りが完了すると、自動的に原稿が排紙トレイ５０２上に排出される。
【００１６】
読み取り装置ＩＲは、走査系１０と画像信号処理部２０とからなる。走査系１０では、まず、原稿台ガラス１５上にセットされた原稿の画像が、その下方を移動するスキャナ１６に取り付けられた露光ランプ１１により露光される。露光による原稿からの反射光は、集光レンズ１２を通り、ＣＣＤアレイなどを用いた光電変換素子１３、１４によって電気信号に変換される。続いて、これらの走査系１０で得られた電気信号は、画像信号処理部２０へ送られる。画像信号処理部２０では、電気信号に変換された画像データは二値化された後、画質補正や、変倍、画像編集等の画像処理が行なわれる。
【００１７】
次に、読み取り装置ＩＲで生成された画像データは、画像記憶部３０に格納される。
【００１８】
プリンタ装置ＰＲＴは、印字処理部４０、光学系６０、作像系７０、用紙搬送系８０からなる。印字処理部４０は、画像記憶部３０からの画像データに基づいて、光学系６０を駆動する。光学系６０では、印字処理部４０によって制御される半導体レーザ６１、６２が、それぞれレーザ光を発する。これらは、ダイクロイックミラー６３で合成され、モータ６４によって回転するポリゴンミラー６５によって反射され、主レンズ６６を通して作像系７０に向けて照射される。
【００１９】
作像系７０では、まず、感光体７１が、帯電チャージャ７２によって一様に帯電された後、レーザ光が照射される。このレーザ光の照射によって、感光体７１上には、潜像が形成される。続いて、現像器７３は、感光体７１上の潜像にトナーを載せる。用紙搬送系８０は、作像系７０へまたは作像系７０から用紙を搬送する。感光体７１上のトナー像は、給紙カセット８０ａ、または、８０ｂから給紙された複写用紙に転写される。その後、用紙搬送ベルト８１によって用紙は定着器８２に搬送され、熱と圧力によりトナーが用紙に定着された後、再給紙部６００の排紙トレイ６０１上に排出される。
【００２０】
複写機１では、これらの動作の際、読み取り装置ＩＲとプリント装置ＰＲＴにおいて、紙詰まりなどのエラーを検知することができる。また、読み取り装置ＩＲにおいて用紙切れなどのエラー、プリント装置ＰＲＴにおいて原稿が原稿台ガラス１５上に適切にセットされてないなどのエラーを検知することができる。さらに、また、故障などによって複写機１が動作を停止した場合、これを検知することができる。
【００２１】
図２は、複写機１の操作パネル２００の構成を示す平面図である。スタートキー２０１は、コピー動作を開始させるのに用いられ、テンキー２０２は、コピー枚数等の数値を入力するために用いられる。また、クリアキー２０３は、入力された数値のクリアおよび画像記憶部３０の画像データを破棄するために用いられ、ストップキー２０４は、動作の停止を指示するために用いられ、パネルリセットキー２０５は、設定されているモードおよびジョブを破棄するために用いられる。さらに、ＬＣＤ２０６は、各種モードの表示を行ない、表面にタッチパネルが取り付けられている。このタッチパネルによって、ＬＣＤ２０６内の表示内容に従った各種設定を行なうことができる。これらの表示内容等については、後述する。
【００２２】
図３は、複写機１におけるマルチジョブの動作を説明するための図である。複写機１によってセットされた原稿からコピーを得るまでに、大きく分けて、原稿画像を読み取り画像データを生成する処理と、画像データを補正し記憶する処理と、記憶された画像データに基づいて印字する処理という３つの処理がなされる。これらの一連の３つの処理が、上述の順序で、ある原稿群によって施されることにより、その原稿群のコピーが得られる。また、これらの３つの処理は、それぞれ、読み取り装置ＩＲ、画像記憶部３０、プリンタ装置ＰＲＴにて行われる。以下、これらの「処理」の各々を「ジョブ」ともいう。
【００２３】
複写機１で実行されるマルチジョブは、「プリンタ装置ＰＲＴが、画像メモリ上に画像データとして記憶されている、ある原稿群の複写画像をプリント中に、操作パネル３００からの予約設定の指示によって、別の新たな原稿群の原稿画像を読み取り装置ＩＲにて読み取り、画像記憶部３０に記憶する」動作をするものである。
【００２４】
即ち、複写機１で実行されるマルチジョブによると、プリンタ装置ＰＲＴによって原稿群Ａのコピーを出力中に、原稿群Ａとは異なる原稿群Ｂを記憶しつつ、さらに、また、これらの原稿群とは異なる原稿群Ｃを読み取り装置で読みとることが可能である。つまり、マルチジョブ機能によって、プリントと読み取りとの動作が独立に行なわれる。
【００２５】
また、これらのように、プリントと読み取りとが独立に動作するため、２つの動作が同時に行われている際、プリントあるいは読み取りの動作のうちのいずれか一方の動作が停止しても、もう片方の動作を停止させることなく、動作をそのまま継続させることができる。
【００２６】
図４は、複写機１の動作を制御するＣＰＵが実行するメインルーチンのフローチャートである。
【００２７】
複写機１の電源が入りＣＰＵがリセットされると、プログラムがスタートする。まず、ステップ４０（以下、ステップをＳと略す）で、ＲＡＭのクリア、各種レジスタの設定などのＣＰＵのイニシャライズが行われ、Ｓ４１で、複写機１のモードの初期化処理が行われる。
【００２８】
次に、Ｓ４２で、ＣＰＵに内蔵されておりその値はあらかじめ初期設定でセットされた内部タイマがスタートされる。
【００２９】
続いて、Ｓ４３で、現在のジョブの状態を決定するジョブ判定処理、Ｓ４４で、ハードキー及びタッチパネルによるキー入力を制御するキー入力処理、Ｓ４５で、ジョブを管理するジョブ管理処理が行われる。Ｓ４３〜Ｓ４５の処理はサブルーチンで行なわれるが、これらについては後述する。これらの処理が終わると、Ｓ４６で、その他の複写機を制御するための一般的な処理が行われる。
【００３０】
Ｓ４２〜Ｓ４６の処理が行われると、Ｓ４７で、Ｓ４２でセットした内部タイマが終了したか否かが判断される。内部タイマが終了したと判断されると（Ｓ４７で、ＹＥＳ）、１ルーチンは終了しＳ４２に戻る。内部タイマが終了していないと判断されると（Ｓ４７で、ＮＯ）、Ｓ４７にとどまる。
【００３１】
先述のＳ４２でセットされた内部タイマの値は、１ルーチンの実行に要する時間となる。この時間を用いて、後述する各サブルーチンの中で用いられる各種タイマの計数を行う。このメインルーチン１ルーチンを実行するのに要する時間は、サブルーチン内でセットされる各種タイマの値よりも小さく、メインルーチン１ルーチンを何回繰り返したかを検知することにより、サブルーチン内のタイマの終了が判断される。
【００３２】
図５、図６は、図４に示されるＳ４３のジョブ判定処理のサブルーチンでの手順を示すフローチャートである。
【００３３】
ここで、カレントジョブとは、複写機１が行なっている複数のジョブのうち、ある時点に、複写機１が複写機１に対して操作を行なっていると判断したユーザのジョブのことである。これに対して、カレントジョブ以外のジョブをサブジョブと呼ぶ。また、ここでは、ジョブは、読み込み動作またはプリントのいずれかとする。
【００３４】
さらに、また、予約設定フラグ、モード設定フラグは、それぞれ、予約の設定、コピーモードの設定が、可能な状態であるか否かを０または１で表わす。（予約設定フラグ、モード設定フラグは、図中ではそれぞれ予約設定、モード設定と略す。）予約設定フラグ、モード設定フラグでは、いずれも、０は設定が可能な状態ではないことを示し、１は設定が可能な状態であることを示す。予約設定フラグは、後述のキー入力処理にて用いられる。（モード設定フラグは、本発明の第２の実施の形態でのキー入力処理で予約設定フラグとともに用いられる。）
まず、Ｓ５０で、複写機１が停止中であるか否かが判断される。停止中でなければ（Ｓ５０にて、ＮＯ）、Ｓ５１で、読み込み動作中か否かが判断される。読み込み動作中であれば（Ｓ５１にて、ＹＥＳ）、Ｓ５１４でカレントジョブが「読み込み」にされる。続いて、Ｓ５１５で、予約設定フラグが０、モード設定フラグが１にされた後、本ルーチンは終了する。
【００３５】
複写機１が読み込み動作中でなければ（Ｓ５１で、ＮＯ）、Ｓ５１１で、プリント動作中であるか否かが判断される。プリント動作中であれば（Ｓ５１１で、ＹＥＳ）、Ｓ５１２でカレントジョブが「プリント」にされる。続いて、Ｓ５１３で、予約設定フラグが１、モード設定フラグが０にされた後、本ルーチンは終了する。この状態以外では、予約設定フラグに０を代入する。これによって、プリント動作停止時において、新たな原稿の読み込みを禁止することができる。プリント動作中でなければ（Ｓ５１１で、ＮＯ）、カレントジョブは本ルーチンが呼び出される前の状態に保たれたまま、本ルーチンは終了する。
【００３６】
Ｓ５０で、複写機１が停止中であれば（Ｓ５０にて、ＹＥＳ）、Ｓ５２で、先述の紙詰まりなどのエラーが発生したタイミングであるか否かが判断される。詳述はしないが、複写機１では、エラーが発生した瞬間にエラーの存在を示す信号がオンにされ、エラーから回復した瞬間にエラーの存在を示す信号がオフにされる。エラーが発生したタイミングであれば（Ｓ５２にて、ＹＥＳ）、次に示すＳ５２１、Ｓ５２４にて、エラーの種類が判断される。
【００３７】
Ｓ５２１では、プリントジョブでのエラーであるか否かが判断される。プリントジョブでのエラーであれば（Ｓ５２１にて、ＹＥＳ）、Ｓ５２２でカレントジョブが「プリント」にされる。続いて、Ｓ５２３で、予約設定フラグが０、モード設定フラグが１にされた後、本ルーチンは終了する。プリントジョブでのエラーではなければ（Ｓ５２１にて、ＮＯ）、Ｓ５２４で読み込みジョブでのエラーであるか否かが判断される。読み込みジョブでのエラーであれば（Ｓ５２４にて、ＹＥＳ）、Ｓ５２５でカレントジョブが「読み込み」にされる。続いて、Ｓ５２６で、予約設定フラグが０、モード設定フラグ１にされた後、本ルーチンは終了する。（プリントジョブでのエラーでもなく）読み込みジョブでのエラーでもなければ（Ｓ５２４にて、ＮＯ）、Ｓ５２７で、これら２つのジョブでのエラーではない、故障などによる複写機１全体でのエラーとされる。続いて、Ｓ５２８で、予約設定フラグが０、モード設定フラグが０に設定された後、本ルーチンは終了する。
【００３８】
エラーが発生したタイミングでなければ（Ｓ５２にて、ＮＯ）、Ｓ６３で複写機１に対するユーザの操作（例えば、カバーの開閉、エラーの解除を施す処置等）がなされたか否かが判断される。
【００３９】
複写機１に対する操作がなされると（Ｓ６３にて、ＹＥＳ）、Ｓ６３１でプリントジョブでのエラーに対して適切な処置がなされたか否かが判断される。プリントジョブエラーに対する適切な処置であれば（Ｓ６３１にて、ＹＥＳ）、Ｓ６３２でカレントジョブが「プリント」にされる。続いて、Ｓ６３３で、予約設定フラグが０、モード設定フラグが１にされた後、Ｓ６３４で先述のエラーの存在を示す信号はオフにされ、本ルーチンは終了する。プリントジョブエラーに対する適切な処置でなければ（Ｓ６３１にて、ＮＯ）、Ｓ６３５で読み込みジョブでのエラーに対して適切な処置がなされたか否かが判断される。読み込みジョブエラーに対する適切な処置であれば（Ｓ６３５にて、ＹＥＳ）、Ｓ６３６でカレントジョブが「読み込み」にされる。続いて、Ｓ６３７で、予約設定フラグが０、モード設定フラグが０にされた後、プリントジョブエラーに対する処理と同様に、Ｓ６３４で先述のエラーの存在を示す信号はオフにされ、本ルーチンは終了する。読み込みジョブエラーに対して適切な処置でなければ（Ｓ６３５にて、ＮＯ）、そのまま本ルーチンは終了する。
【００４０】
複写機１に対する操作がなされなければ（Ｓ６３にて、ＮＯ）、Ｓ６４、Ｓ６４１、Ｓ６５で、中断中のジョブがいかなる状態であるかが判断される。
【００４１】
まず、Ｓ６４では、プリントジョブが中断中であるか否かが判断される。プリントジョブが中断中であれば（Ｓ６４にて、ＹＥＳ）、Ｓ６４１で読み込みジョブが中断中であるか否かが判断される。（プリントジョブが中断中であり）読み込みジョブが中断中であれば（Ｓ６４１にて、ＹＥＳ）、Ｓ６４２で両方のジョブが中断状態であることが判断される。続いて、Ｓ６４３で、予約設定フラグが０、モード設定フラグが１にされた後、本ルーチンは終了する。読み込みジョブが中断中でなければ（Ｓ６４１にて、ＮＯ）、Ｓ６４４で、カレントジョブが「読み込み」にされる。続いて、Ｓ６４５で、予約設定フラグが０、モード設定フラグが１にされた後、本ルーチンは終了する。
【００４２】
プリントジョブが中断中でなければ（Ｓ６４にて、ＮＯ）、Ｓ６５で読み込みジョブが中断中であるか否かが判断される。読み込みジョブが中断中であれば（Ｓ６５で、ＹＥＳ）、Ｓ６５１でカレントジョブが「読み込み」にされる。続いて、Ｓ６５２で、予約設定フラグが０、モード設定フラグが０にされた後、本ルーチンは終了する。読み込みジョブが中断中でなければ（Ｓ６５で、ＮＯ）、Ｓ６５３で両方のジョブが待機中であることが判断される。続いて、Ｓ６５４で、予約設定フラグが０、モード設定フラグが０にされた後、本ルーチンは終了する。以上のような手順で現在のジョブの状態を判定する。
【００４３】
図７は、図４に示されるＳ４４のキー入力処理のサブルーチンでの手順を示すフローチャートである。
【００４４】
まず、Ｓ７０で、予約設定が１であるか否かが判断される。予約設定が１であれば（Ｓ７０にて、ＹＥＳ）、Ｓ７１で、予約設定キーが表示される。次に、Ｓ７２で、予約設定キーが押されたか否かが判断される。予約設定キーが押されると（Ｓ７２にて、ＹＥＳ）、Ｓ７３で、カレントジョブは「読み込み」にされる。続いて、Ｓ７４で、サブジョブが「プリント」にされ、本ルーチンは終了する。
【００４５】
予約設定キーが押されなければ（Ｓ７２にて、ＮＯ）、Ｓ７３、Ｓ７４は、スキップされ、そのまま本ルーチンは終了する。
【００４６】
予約設定が１でなければ（Ｓ７０にて、ＮＯ）、Ｓ７５で、予約設定キー以外のプリントキー２０１、テンキー２０２、クリアキー２０３、ストップキー２０４、パネルリセットキー２０５、および、ＬＣＤ２０６表面のタッチパネルからの入力処理が行われる。したがって、プリント動作停止中は、複写機１に対して新しいジョブの予約をすることができない。
【００４７】
図８は、図７に示す手順によって表示される予約設定キー２０６ａを表わす図である。プリントを行なっている際に、図２において示した、操作パネル２００内のＬＣＤ２０６の右下隅に表示される。
【００４８】
図９は、図４に示されるＳ４５のジョブ管理処理のサブルーチンでの手順を示すフローチャートである。
【００４９】
まず、Ｓ９０で、プリンタ装置ＰＲＴからのエラー通知があるか否かが判断される。エラー通知があれば（Ｓ９０にて、ＹＥＳ）、Ｓ９１で、プリントは停止され、プリントジョブエラーとされる。エラー通知が無ければ（Ｓ９０にて、ＮＯ）、Ｓ９１はスキップされる。続いて、Ｓ９２で、読み取り装置ＩＲからのエラー通知があるか否かが判断される。読取装置ＩＲからのエラー通知があれば（Ｓ９２にて、ＹＥＳ）、Ｓ９３で、読み込みは停止され、読み込みジョブエラーとされる。エラー通知が無ければ（Ｓ９２にて、ＮＯ）、Ｓ９３はスキップされる。これらの処理によって、エラーなどによって、プリントが停止した場合においても、読取装置ＩＲからのエラー通知がなければ、読み込みに停止指示を出さず、読み込みを継続することができる。
【００５０】
次に、Ｓ９４で、最後のコピーのプリントが完了したか否かが判断される。完了していれば（Ｓ９４にて、ＹＥＳ）、Ｓ９５で、プリントジョブ終了とされる。完了していなければ（Ｓ９４にて、ＮＯ）、Ｓ９５はスキップされる。さらに、Ｓ９６で、最後の原稿の読み込みが完了したか否かが判断される。完了していれば（Ｓ９６にて、ＹＥＳ）、Ｓ９７で、読み込みジョブ終了とされる。完了していなければ（Ｓ９６にて、ＹＥＳ）、Ｓ９７はスキップされる。これらの処理の後、本ルーチンは終了しリターンする。
【００５１】
以上により、プリントが停止した際、読み込み中の原稿があればその原稿を含むジョブの読み込みが終了するまで読み込み動作を継続し、その読み込み動作が終了した時点で新たなジョブの読み込み動作を禁止することができる。これにより、プリント停止中に画像メモリへの過剰な画像データによるオーバフローを防止し、かつ、原稿の読み込み動作を円滑に行なうことが可能となる。
【００５２】
なお、本実施の形態では、ジョブ（原稿群）が複数枚の原稿で構成されていることを前提として説明しているが、各ジョブが１枚の原稿から成るものであっても良いのはいうまでもない。
【００５３】
上記説明では、新たなジョブの原稿の読み込みの予約は、プリント動作のみを行なっている際に予約設定キー２０６ａを表示する制御によるものとしたが、常に予約設定キー２０６ａを表示させ、プリント動作のみを行なっているのでなければ、予約設定キー２０６ａによる入力を受け付けない制御によるものとすることもできる。
【００５４】
本発明の第２の実施の形態を説明する。第２の実施の形態では、第１の実施の形態の図７に示されるキー入力処理を、次に示す図１０のように変更する。この変更により、プリント停止中においてのみ、モード変更を可能とすることが可能となる。
【００５５】
図１０は、図４に示されるＳ４４のキー入力処理のサブルーチンでの手順を示すフローチャートである。
【００５６】
まず、Ｓ１００で、予約設定フラグが１であるか否かが判断される。予約設定が１であれば（Ｓ１００にて、ＹＥＳ）、Ｓ１０１で、予約設定キーが表示される。次に、Ｓ１０２で、予約設定キーが押されたか否かが判断される。予約設定キーが押されると（Ｓ１０２にて、ＹＥＳ）、Ｓ１０３で、カレントジョブは「読み込み」にされる。続いて、Ｓ１０４で、サブジョブが「プリント」にされ、本ルーチンは終了しリターンする。
【００５７】
予約設定キーが押されなければ（Ｓ１０２にて、ＮＯ）、Ｓ１０５で、モード変更フラグが１であるか否かが判断される。モード変更フラグが１であれば（Ｓ１０５にて、ＹＥＳ）、Ｓ１０６で、モード変更キーを表示し、新たな原稿の読み込みの予約を受け付ける。続いて、Ｓ１０７で、モード変更キーが押されたか否かが判断される。モード変更キーが押されると（Ｓ１０７にて、ＹＥＳ）、Ｓ１０８でモード変更が行われ、本ルーチンは終了しリターンする。モード変更キーが押されなければ（Ｓ１０７にて、ＮＯ）、Ｓ１０８はスキップされ、本ルーチンは終了しリターンする。モード変更フラグが１でなければ（Ｓ１０５にて、ＮＯ）、そのまま本ルーチンは終了しリターンする。
【００５８】
予約設定フラグが１でなければ（Ｓ１００にて、ＮＯ）、Ｓ１０９で、予約設定キー以外のプリントキー２０１、テンキー２０２、クリアキー２０３、ストップキー２０４、パネルリセットキー２０５、および、ＬＣＤ２０６表面のタッチパネルからの入力処理が行われる。したがって、プリント停止中は新しいジョブの予約をすることができない。
【００５９】
図１１は、図１０に示す手順によって表示されるモード変更キー２０６ｂを表わす図である。プリントを停止中に、図２において示した、操作パネル２００内のＬＣＤ２０６の中央付近下部に表示される。
【００６０】
以上により、プリントが停止した際、プリントを待つ原稿の画像形成条件を変更することができる。
【００６１】
これらにより、プリント停止中に画像メモリへの過剰な画像データによるオーバフローを防止し、かつ、原稿の読み込み動作を円滑に行なうことが可能となる。
【００６２】
上記説明では、コピーモードの変更は、プリント動作のみを行なっている際にモード設定キー２０６ｂを表示する制御によるものとしたが、常にモード設定キー２０６ｂを表示させ、プリント動作のみを行なっているのでなければ、モード設定キー２０６ｂによる入力を受け付けない制御によるものとすることもできる。
【図面の簡単な説明】
【図１】本発明の第１の実施の形態である、複写機１の概略構成を示す模式的断面図である。
【図２】複写機１の操作パネル２００の構成を示す平面図である。
【図３】複写機１におけるマルチジョブの動作を説明するための図である。
【図４】複写機１の動作を制御するＣＰＵが実行するメインルーチンのフローチャートである。
【図５】図４に示されるＳ４３のジョブ判定処理のサブルーチンでの手順を示す第１のフロ−チャートである。
【図６】図４に示されるＳ４３のジョブ判定処理のサブルーチンでの手順を示す第２のフローチャートである。
【図７】図４に示されるＳ４４のキー入力処理のサブルーチンでの手順を示すフローチャートである。
【図８】図７に示す手順によって表示される予約設定キー２０６ａを表わす図である。
【図９】図４に示されるＳ４５のジョブ管理処理のサブルーチンでの手順を示すフローチャートである。
【図１０】図４に示されるＳ４４のキー入力処理のサブルーチンでの手順を示すフローチャートである。
【図１１】図９に示す手順によって表示されるモード変更キー２０６ｂを表わす図である。
【符号の説明】
１  複写機
３０  画像記憶部
２００  操作パネル
２０６ａ  予約設定キー
２０６ｂ  モード変更キー
ＩＲ  読み取り装置
ＰＲＴ  プリンタ装置
【図１】
0003546615.tif 000002
【図２】
0003546615.tif 000003
【図３】
0003546615.tif 000004
【図４】
0003546615.tif 000005
【図５】
0003546615.tif 000006
【図６】
0003546615.tif 000007
【図７】
0003546615.tif 000008
【図８】
0003546615.tif 000009
【図９】
0003546615.tif 000010
【図１０】
0003546615.tif 000011
【図１１】
0003546615.tif 000012